(57)【要約】【課題】水皿を取外した際に、シャフトの脱落を防止する。【解決手段】水皿４２を取付枠２２に対して支持する軸支組のうち前側のものは、第１支持部２４Ａの後面に第１シャフト５０Ａの長さより狭小な間隔で対向して、取付枠２２の下面にストッパ部２８が設けられている。ストッパ部２８には、第１シャフト５０Ａの第１姿勢で第１係止片５４Ａの挿通を許容すると共に、第１姿勢から軸線を中心として角度を変えた第２姿勢で第１係止片５４Ａの挿通を規制するように設定した通孔３０が開設される。すなわち、ストッパ部２８により第１支持部２４Ａの第１軸孔２６Ａに挿通した第１シャフト５０Ａの脱落を防止することができる。【選択図】図１
2008175494.tif 000002
【特許請求の範囲】
【請求項１】
前面を開放可能な箱体(12)の内部に設けた取付枠(22)と、この取付枠(22)に配設した製氷部(64)と、この製氷部(64)に対向配置されて、前記箱体(12)の前後方向に離間した複数の軸支部(44A,44B)を有する水皿(42)とを備え、前記軸支部(44A,44B)に対応して前記取付枠(22)に設けた支持部(24A,24B)に各軸支部(44A,44B)をシャフト(50A,50B)で夫々支持して、製氷部(64)に対し水皿(42)を傾動可能に構成した製氷機において、
前記軸支部(44A,44B)、支持部(24A,24B)およびシャフト(50A,50B)からなる軸支組の少なくとも１つは、
前記シャフト(50A)における軸部(52A)の一端に、半径方向に突出形成された係止片(54A)と、
前記支持部(24A)に前後に貫通して設けられ、前記軸部(52A)の挿通を許容すると共に前記係止片(54A)の挿通を規制する軸孔(26A)と、
前記取付枠(22)に設けられ、前記係止片(54A)の前後厚みより大きくかつ前記シャフト(50A)の長さより狭小な間隔で支持部(24A)の後面に対向するストッパ部(28)と、
前記ストッパ部(28)における前記軸孔(26A)の軸線上に前後に貫通して設けられ、前記シャフト(50A)の第１姿勢で前記係止片(54A)の挿通を許容すると共に、第１姿勢から軸線を中心として角度を変えた第２姿勢で該係止片(54A)の挿通を規制するように設定した通孔(30)とを備えている
ことを特徴とする製氷機。
【請求項２】
前記係止片(54A)には、前記軸部(52A)の軸線を中心とする同一半径軌跡から半径方向外側に突出する規制部(56)が形成され、前記通孔(30)は、前記軸孔(26A)の軸線から開口縁までの寸法が、前記軸部(52A)の軸線から規制部(56)の外周縁までの寸法より大きくした部位と小さくした部位とを有するように設定されている請求項１記載の製氷機。
【請求項３】
前記シャフト(50A)は、前記係止片(54A)に対し前記規制部(56)から離間して該係止片(54A)の重心からずれた位置に前記軸部(52A)が接続され、前記通孔(30)において、前記軸孔(26A)の軸線から開口縁までの寸法を前記軸部(52A)の軸線から規制部(56)の外周縁までの寸法より小さくした部位が、該軸孔(26A)の軸線の下方に設けられる請求項２記載の製氷機。
【発明の詳細な説明】
【技術分野】
【０００１】
この発明は、取付枠に設けた支持部に対し水皿における軸支部をシャフトで支持して、製氷部に対し水皿を傾動可能に構成した製氷機に関するものである。
【背景技術】
【０００２】
図７に示すように、製氷室６４の下向きに開口する製氷小室６４ａに対し、該製氷小室６４ａを閉成した水皿６６から製氷水を噴射供給して氷塊を製造し、生成された氷塊を、製氷室６４に対して離間する方向に水皿６６を傾動することで放出するよう構成した所謂クローズドセルタイプの製氷機構６２を備えた自動製氷機が知られている(例えば、特許文献１参照)。
【０００３】
図７に示すように、製氷機における箱体１２の上部には、製氷機構６２の配設対象となる取付枠６０が左右方向に架設されている。前記水皿６６は、取付枠６０の下面において箱体１２の前後方向に離間設置した一対の支持部６１,６１に対し、対応配置した一対の軸支部６８,６８をシャフト７０で夫々支持することで、上下方向に傾動可能に配設される。図８に示す如く、各支持部６１は、取付枠６０に対しネジ７８,７８で締着された下方に開口する断面コ字状の部材であり、鉛直部分にシャフト７０の挿通を許容する軸孔６１ａが前後方向に整列した状態で夫々開設される。そして、各軸支部６８の上端を、対応の支持部６１における鉛直部分の間に配置すると共に、該軸支部６８の上端において前後方向に沿って貫通する軸孔６８ａを両軸孔６１ａ,６１ａと整列させる。この状態で、シャフト７０を軸孔６８ａ,６１ａ,６１ａに共通して挿入することで、各軸支部６８がシャフト７０で各支持部６１に回動可能に夫々支持される。このとき、シャフト７０は、一端に形成した大径の係止片７０ａが支持部６１の一側面に当接すると共に、支持部６１の他側面から突出した他端にスナップピン７２を装着することで、前後方向の移動が規制されて支持部６１から脱落しないようになっている。
【特許文献１】実開平４−１１３６７号公報
【発明の開示】
【発明が解決しようとする課題】
【０００４】
ところで水皿６６は、製氷水として使用される水道水に含まれる不純物等に起因して経時的に汚れるために、箱体１２から取外して清掃等のメンテナンスを随時行なう必要がある。前述した製氷機構６２では、水皿６６の開放端側を支持している水皿傾動機構７４のコイルばね７６を外した後、各スナップピン７２をシャフト７０から外して、各シャフト７０を支持部６１および軸支部６８から抜出すことで、両支持部６１,６１から水皿６６が取外される。このように、シャフト７０を支持部６１および軸支部６８から完全に抜かなければ取外しができない構成であり、箱体１２内の狭い場所での着脱作業となるから、シャフト７０を落としたり、あるいはシャフト７０を紛失してしまうおそれがある。この問題を解消するため、支持部６１または軸支部６８にシャフト７０を一体形成することも考えられるが、合成樹脂製の支持部６１または軸支部６８に一体形成した合成樹脂製のシャフトでは、水皿６６が大型化するとその重量に耐えられない。また、合成樹脂製のシャフトでは耐久性に劣る場合もあり、別体の金属製のシャフトを用いらざるを得ない場合がある。
【０００５】
すなわち本発明は、従来の技術に係る製氷機に内在する前記問題に鑑み、これらを好適に解決するべく提案されたものであって、水皿の取付けおよび取外しを行ない易くすると共に、水皿を取外す際のシャフトの脱落や紛失を防止し得る製氷機を提供することを目的とする。
【課題を解決するための手段】
【０００６】
前記課題を克服し、所期の目的を達成するため、本願の請求項１に係る発明の製氷機は、
前面を開放可能な箱体の内部に設けた取付枠と、この取付枠に配設した製氷部と、この製氷部に対向配置されて、前記箱体の前後方向に離間した複数の軸支部を有する水皿とを備え、前記軸支部に対応して前記取付枠に設けた支持部に各軸支部をシャフトで夫々支持して、製氷部に対し水皿を傾動可能に構成した製氷機において、
前記軸支部、支持部およびシャフトからなる軸支組の少なくとも１つは、
前記シャフトにおける軸部の一端に、半径方向に突出形成された係止片と、
前記支持部に前後に貫通して設けられ、前記軸部の挿通を許容すると共に前記係止片の挿通を規制する軸孔と、
前記取付枠に設けられ、前記係止片の前後厚みより大きくかつ前記シャフトの長さより狭小な間隔で支持部の後面に対向するストッパ部と、
前記ストッパ部における前記軸孔の軸線上に前後に貫通して設けられ、前記シャフトの第１姿勢で前記係止片の挿通を許容すると共に、第１姿勢から軸線を中心として角度を変えた第２姿勢で該係止片の挿通を規制するように設定した通孔とを備えていることを特徴とする。
請求項１に係る発明によれば、支持部における軸孔に後側から挿通したシャフトを、第１姿勢とする操作を行なわない限り、ストッパ部で後側への移動を規制して軸孔から脱落しないようにし得る。
【０００７】
請求項２に係る発明では、前記係止片に、前記軸部の軸線を中心とする同一半径軌跡から半径方向外側に突出する規制部が形成され、前記通孔は、前記軸孔の軸線から開口縁までの寸法が、前記軸部の軸線から規制部の外周縁までの寸法より大きくした部位と小さくした部位とを有するように設定されていることを要旨とする。
請求項２に係る発明によれば、シャフトを第１姿勢とすることで、通孔において軸孔の軸線から開口縁までの寸法をシャフトにおける軸部の軸線から規制部の外周縁までの寸法より大きく設定した部位に規制片が整合して、係止片の挿通が許容されるから、シャフトを支持部に取付けることができる。これに対し、シャフトを第２姿勢とすることで、通孔において軸孔の軸線から開口縁までの寸法をシャフトにおける軸部の軸線から規制部の外周縁までの寸法より小さく設定した部位に規制片が整合するので、規制部がストッパ部における通孔の開口縁に係止される。これにより、通孔への係止片の挿通が規制されるから、支持部の軸孔に挿通したシャフトを、第１姿勢とする操作を行なわない限り、軸孔から脱落しないようにし得る。
【０００８】
請求項３に係る発明では、前記シャフトにおいて、前記係止片に対し前記規制部から離間して該係止片の重心からずれた位置に前記軸部が接続され、前記通孔において、前記軸孔の軸線から開口縁までの寸法を前記軸部の軸線から規制部の外周縁までの寸法より小さくした部位が、該軸孔の軸線の下方に設けられることを要旨とする。
請求項３に係る発明では、自由状態のシャフトは、係止片の自重により規制部が下方に向く第２姿勢に変位するから、特に操作することなく、通孔において下方に設けた規制部の外周縁までの寸法より小さく設定した部位に規制片を整合させることができる。
【発明の効果】
【０００９】
本発明に係る製氷機によれば、一旦取付けたシャフトの意図しない脱落を防止できるから、水皿の着脱作業を容易に行なうことができる。また、シャフトの紛失を防ぎ、水皿の取付作業の負担を軽減し得る。
【発明を実施するための最良の形態】
【００１０】
次に、本発明に係る製氷機につき、好適な実施例を挙げて、添付図面を参照して以下に説明する。なお、説明の便宜上、図７および図８に示した製氷機の構成要素と同一の要素については、同一の符号を使用して詳細な説明は省略する。ここで、実施例における箱体の前側とは、自動製氷機１０において氷塊の取出口が設けられる側であって、製氷機構４０におけるポンプモータＰＭおよび水皿傾動機構７４のアクチュエータモータＡＭ等が設けられる側を云う(図２参照)。
【実施例】
【００１１】
図２に示すように、実施例に係る製氷機１０は、その本体をなす箱体１２の内部に、製氷機構４０が配設されると共に該製氷機構４０で製造された氷塊を貯蔵する貯氷室１８と、電装箱ＣＢや冷凍装置等を収納する機械室２０とが上下の関係で画成されている。箱体１２の上部には、該箱体１２における左右の側壁間に製氷機構４０を懸吊支持する取付枠２２が架設されている。
【００１２】
図１に示すように、製氷機構４０は、水平に延在する取付枠２２の下方に配設され、下方に開口する多数の製氷小室６４ａを画成した製氷室(製氷部)６４と、この製氷室６４の下方で製氷小室６４ａの開口に対向的に配置した水皿４２とを備えている。水皿４２は、取付枠２２の左側部(一側部)下面に設けられて箱体１２の前後方向に離間する一対の支持部２４Ａ,２４Ｂに、各支持部２４Ａ,２４Ｂに対応して設けられた一対の軸支部４４Ａ,４４Ｂを金属製のシャフト５０Ａ,５０Ｂで夫々支持して、取付枠２２に傾動可能に取付けられる。また水皿４２は、取付枠２２の両支持部２４Ａ,２４Ｂに対し、箱体１２の前側から着脱可能になっている。ここで、支持部２４Ａ(２４Ｂ)、軸支部４４Ａ(４４Ｂ)およびシャフト５０Ａ(５０Ｂ)からなる軸支組のうち、箱体１２の前後方向において前側に位置するものには第１を付して符号の末尾にＡを入れ、後側に位置するものには第２を付して符号の末尾にＢを入れて区別する。
【００１３】
前記各シャフト５０Ａ,５０Ｂは、強度に優れた金属製のものが採用され、丸棒状の軸部５２Ａ,５２Ｂと、この軸部５２Ａ,５２Ｂの一端に設けられて、軸部５２Ａ,５２Ｂの周面から半径方向外側に突出形成した係止片５４Ａ,５４Ｂとを備えている。また、第１シャフト５０Ａの第１係止片５４Ａには、第１軸部５２Ａの軸線と該軸線から最も近い第１係止片５４Ａの外周縁とを結ぶ線を半径として、第１軸部５２Ａの軸線を中心として描いた軌跡から半径方向外側に突出する規制部５６が設けられる。すなわち、第１係止片５４Ａは、第１軸部５２Ａの軸線を中心とする同一半径軌跡上に外周縁が位置する単純な円形ではない形状に設定される。図４に示すように、実施例の第１係止片５４Ａは、外周縁が長方形の角部を曲線的に面取りした略小判形状に形成され、第１軸部５２Ａが第１係止片５４Ａにおける短辺に沿う方向の中央で、一方の短辺側に偏倚して接続されている。すなわち、第１係止片５４Ａにおいて、第１軸部５２Ａは規制部５６から離間すると共に該第１係止片５４Ａの重心からずれた位置に接続され、第１軸部５２Ａが接続された一方の短辺側とは反対側の他方の短辺側が規制部５６として機能する。なお、第１軸部５２Ａには、スナップピン７２を挿通するための挿通孔５３が半径方向に貫通して設けられる(図３参照)。これに対し、第２シャフト５０Ｂでは、第２係止片５４Ｂが第２軸部５２Ｂの軸線を中心として同一半径上に外周縁が位置する円形に形成されると共に、第２係止片５４Ｂが第２軸部５２Ｂに対し同軸的に接続されている。
【００１４】
前記一対の支持部２４Ａ,２４Ｂは、取付枠２２の下面に垂設された板状部であって、互いに対面すると共に箱体１２の前後方向に貫通する円形の軸孔２６Ａ,２６Ｂが同一軸線状に夫々開設されている。ここで、一対の支持部２４Ａ,２４Ｂは、合成樹脂製の取付枠２２に一体的に形成されている。各支持部２４Ａ,２４Ｂでは、軸孔２６Ａ,２６Ｂが対応のシャフト５０Ａ,５０Ｂの軸部５２Ａ,５２Ｂに整合する寸法に設定され、軸孔２６Ａ,２６Ｂに対する軸部５２Ａ,５２Ｂの挿通が許容される一方、軸孔２６Ａ,２６Ｂの開口縁部で係止片５４Ａ,５４Ｂの挿通を規制するよう構成される。
【００１５】
前記取付枠２２の下面には、第１支持部２４Ａの後面に対向して、板状のストッパ部２８が垂設されている。ストッパ部２８は、合成樹脂製の取付枠２２に一体的に形成され、第１支持部２４Ａの後面から第１係止片５４Ａの前後厚みより大きくかつ第１シャフト５０Ａの長さより狭小な間隔で配置される。また、ストッパ部２８には、第１支持部２４Ａにおける第１軸孔２６Ａの軸線上に位置して、前後方向に貫通する通孔３０が開設されている。この通孔３０の大きさおよび形状は、第１シャフト５０Ａが規制部５６を上方に向けた第１姿勢において(図３(ｂ)参照)、第１係止片５４Ａの挿通を許容すると共に、第１姿勢から第１軸部５２Ａの軸線を中心として１８０°反転させて規制部５６を下方に向けた第２姿勢において(図３(ｃ)参照)、第１係止片５４Ａの挿通を規制するように設定される。
【００１６】
前記通孔３０は、該通孔３０を通る第１軸孔２６Ａの軸線から開口縁までの寸法が、第１係止片５４Ａにおける第１軸部５２Ａの軸線から規制部５６の外周縁までの寸法より大きくした部位と小さくした部位とを有するようにストッパ部２８に形成される。ここで、通孔３０において、第１係止片５４Ａにおける第１軸部５２Ａの軸線から規制部５６の外周縁までの寸法より小さくした部位は、第１軸孔２６Ａの軸線から下方に位置するように設定される。すなわち、第１軸孔２６Ａに対し第１軸部５２Ａの軸線を整合させた第１シャフト５０Ａの第１姿勢では(図３(ｂ)参照)、通孔３０において第１軸孔２６Ａの軸線から開口縁までの寸法を第１軸部５２Ａの軸線から規制部５６の外周縁までの寸法より大きく設定した部位に規制部５６が対向し、通孔３０と第１係止片５４Ａとが整合するようになっている。これに対し、第１軸孔２６Ａに対し第１軸部５２Ａの軸線を整合させた第１シャフト５０Ａの第２姿勢では(図３(ｃ)参照)、通孔３０において第１軸孔２６Ａの軸線から開口縁までの寸法を第１軸部５２Ａの軸線から規制部５６の外周縁までの寸法より小さく設定した部位に規制部５６が対向し、通孔３０と第１係止片５４Ａとが不整合となるよう構成される。実施例の通孔３０は、第１係止片５４Ａの外周縁形状に対し一回り大きな相似形で形成され、上下方向に長手が延在する小判形状となっている(図４参照)。また、通孔３０は、ストッパ部２８において、該通孔３０における左右方向の中央で、下部に偏倚した部位を第１軸孔２６Ａの軸線が通る位置に配置される。
【００１７】
前記一対の軸支部４４Ａ,４４Ｂは、水皿４２の上面から上方に突出した板状部分であって、水皿４２の左側部に互いに対面した状態で箱体１２の前後方向に離間して設けられている。各軸支部４４Ａ,４４Ｂの上部には、対応の支持部２４Ａ,２４Ｂの軸孔２６Ａ,２６Ｂに整合する孔部４６Ａ,４６Ｂが前後方向に貫通して夫々開設され、対応のシャフト５０Ａ,５０Ｂの軸部５２Ａ,５２Ｂの挿通を許容するようになっている。また、第２軸支部４４Ｂには、第２孔部４６Ｂに前側から第２軸部５２Ｂを挿入すると共に第２係止片５４Ｂを前面に当接させて、後側へ第２軸部５２Ｂを突出させた状態で第２シャフト５０Ｂが固定されている。
【００１８】
前記水皿４２は、両軸支部４４Ａ,４４Ｂを対応の支持部２４Ａ,２４Ｂの前側に位置させ、第２軸支部４４Ｂに予め固定した第２シャフト５０Ｂの第２軸部５２Ｂを第２軸孔２６Ｂに前側から挿通するよう構成される。また水皿４２は、第１支持部２４Ａの後側から第１軸孔２６Ａと第１軸支部４４Ａの第１孔部４６Ａとに第１シャフト５０Ａの第１軸部５２Ａを共通的に挿通することで組付けられる。ここで、第１軸支部４４Ａの前側に突出した第１軸部５２Ａには、挿通孔５３に挿通してスナップピン７２が取着され、第１シャフト５０Ａの前後方向の移動が規制される。このように、前後の軸支組のうち前側の軸支組には、第１支持部２４Ａの第１軸孔２６Ａに後側から挿通した第１シャフト５０Ａを、第１姿勢とする操作を行なわない限り、後側への移動を規制するストッパ部２８が設けられている。
【００１９】
〔実施例の作用〕
次に、実施例に係る製氷機１０の作用について説明する。水皿４２を取付枠２２に取付ける場合は、第１シャフト５０Ａの規制部５６を上方に向けた第１姿勢で、第１軸部５２Ａをストッパ部２８の後側から通孔３０に挿入し、更に該第１軸部５２Ａを第１支持部２４Ａの第１軸孔２６Ａに挿入する(図３(ｂ)参照)。この際、第１姿勢の第１シャフト５０Ａは、通孔３０と第１係止片５４Ａとが整合した状態となっているから、第１係止片５４Ａも通孔３０を通過し、第１係止片５４Ａがストッパ部２８と第１支持部２４Ａの間に位置する。第１軸孔２６Ａに挿通した第１シャフト５０Ａを第１軸部５２Ａの軸線を中心として周方向に回転することで、第１姿勢から規制部５６を下方に向けた第２姿勢に変換する(図３(ｂ)または図４二点鎖線参照)。これにより、通孔３０と第１係止片５４Ａとが不整合状態となるから、第１係止片５４Ａは規制部５６がストッパ部２８における通孔３０の開口縁に係止されることで、後側への移動が規制される。
【００２０】
前記第２支持部２４Ｂの第２軸孔２６Ｂに対し、水皿４２の第２軸支部４４Ｂの第２孔部４６Ｂに挿通固定した第２シャフト５０Ｂの第２軸部５２Ｂを前側から挿入することで、水皿４２の後側を第２支持部２４Ｂに保持させる。また、第１支持部２４Ａの前側に水皿４２の第１軸支部４４Ａを位置させて、第１軸孔２６Ａと第１孔部４６Ａとを整合させる。第１シャフト５０Ａを前側に移動させると、第１軸部５２Ａが第１孔部４６Ａに挿入される。この際、第１シャフト５０Ａは、第１支持部２４Ａの後面に第１係止片５４Ａが当接して前側への移動が規制される。そして、第１軸支部４４Ａの前側に突出した第１軸部５２Ａの挿通孔５３にスナップピン７２を挿入することで、第１軸部５２Ａの周面に突出したスナップピン７２により第１シャフト５０Ａの後側への移動が規制されると共に、第１軸支部４４Ａの前側への移動が規制される。水皿４２が前後の各軸支組において、各シャフト５０Ａ,５０Ｂを介して各軸支部４４Ａ,４４Ｂが対応の支持部２４Ａ,２４Ｂに回動可能に支持されるから、水皿４２が両シャフト５０Ａ,５０Ｂを支持点として製氷室６４に対し接離するように上下に傾動させることができる。
【００２１】
前記第１シャフト５０Ａは、第１係止片５４Ａの重心に対し第１軸部５２Ａが接続されるのではなく、第１係止片５４Ａにおける規制部５６となる部位から離間した偏在した位置に第１軸部５２Ａを接続する構成としてある。すなわち、第１シャフト５０Ａは、第１係止片５４Ａがストッパ部２８の通孔３０を通過したときに、作業者が第１シャフト５０Ａから手を離すことで、特に操作することなく重くなっている規制部５６側が第１軸部５２Ａを中心として自然に回転して第１姿勢から第２姿勢に変換する。このように、第１シャフト５０Ａを前側に移動させるだけであって、作業者の操作を最小限にできるから、貯氷室１８の狭いスペースであっても、簡単に水皿４２の取付作業を箱体１２の前側から行なうことができる。
【００２２】
前記水皿４２を取付枠２２から取外す場合は、先ず第１シャフト５０Ａの第１軸部５２Ａからスナップピン７２を取外す。これにより、第１軸部５２Ａにおいて、第１軸支部４４Ａの前側に突出した端部が開放されるから、水皿４２を前側に引出すことで、第２軸支部４４Ｂに固定した第２シャフト５０Ｂの第２軸部５２Ｂが第２支持部２４Ｂの第２軸孔２６Ｂから抜出されると共に、第１シャフト５０Ａの第１軸部５２Ａから第１軸支部４４Ａが外れる。すなわち、スナップピン７２を取外して水皿４２を前側に引出すだけの簡単な作業で、水皿４２を取付枠２２から取外すことができる。このように、作業者の操作を最小限にできるから、貯氷室１８の狭いスペースであっても、簡単に水皿４２の取外し作業を箱体１２の前側から行なうことができる。
【００２３】
ところで、水皿４２を取外すと第１支持部２４Ａに第１シャフト５０Ａが残る。しかし、第１シャフト５０Ａは、第１支持部２４Ａとストッパ部２８との離間間隔より長尺に設定されると共に、第２姿勢の第１シャフト５０Ａでは第１係止片５４Ａと通孔３０とが不整合状態となっているから、第１軸部５２Ａが第１軸孔２６Ａから抜出す前に、規制部５６がストッパ部２８における通孔３０の開口縁により後側への移動が規制される。また、自由状態の第１シャフト５０Ａは、第１係止片５４Ａの自重により規制部５６が下方に向く第２姿勢になるから、水皿４２の傾動やスナップピン７２の取外し等によっても第２姿勢を維持することができる。すなわち、第１シャフト５０Ａは、作業者が第２姿勢から第１姿勢に変位させる操作を行なわない限り、ストッパ部２８で保持されて第１支持部２４Ａから脱落することはない。従って、水皿４２の取外しに際して、作業者は両シャフト５０Ａ,５０Ｂの脱落に配慮することなく作業を行なうことができ、作業を容易にし得る。
【００２４】
このように、支持する水皿４２の荷重に応じた適切な強度を有するシャフト５０Ａ,５０Ｂを用いることができ、支持部２４Ａ,２４Ｂまたは軸支部４４Ａ,４４Ｂとシャフト５０Ａ,５０Ｂとを別体とする構成であっても、水皿４２の着脱作業の負担を増やすことはない。
【００２５】
(変更例)
本発明は、実施例の構成に限定されず、以下の如く変更することも可能である。
(１)実施例では、２箇所の軸支組により水皿を支持するよう構成したが、３箇所以上の軸支組を設けてもよい。
(２)実施例では、最前に位置する軸支組にのみストッパ部を設ける構成であるが、他の軸支組にストッパ部を設け、シャフトの脱落を防止する構成とし得る。
(３)実施例では、第１係止片および通孔を略小判形に形成したが、この形状に限られず、シャフトの姿勢変位により係止片の通孔への挿通がストッパ部により許容または規制される関係であれば、他の四角形等の多角形や楕円その他の形状を採用し得る。
(４)図５に示すように、第２姿勢で第１シャフト５０Ａの規制部５６が、ストッパ部２８および第１支持部２４Ａの下方に突出するように形成してもよい。これにより、ストッパ部２８と第１支持部２４Ａとの間で、第１シャフト５０Ａを第１姿勢とするための第１係止片５４Ａの操作が行ない易くなる。なお、図５において、実施例と同一機能の部材は、同一の符号を付してある。
(５)図６に示すように、第１シャフト５０Ａの第１係止片５４Ａに操作部５１を設ける構成も採用し得る。操作部５１は、第１係止片５４Ａにおける第１軸部５２Ａの延出面と反対面に該軸部５２Ａと同軸的に突出形成されている。また操作部５１は、ストッパ部２８と第１支持部２４Ａとの間に第１係止片５４Ａを位置させた際に、通孔３０を介してストッパ部２８の後面から後側に突出するように設定される。すなわち、ストッパ部２８の後側に突出した操作部５１を操作することで、第１シャフト５０Ａの姿勢変位を容易に行なうことができる。なお、図６において、実施例と同一機能の部材は、同一の符号を付してある。
【図面の簡単な説明】
【００２６】
【図１】本発明の好適な実施例に係る製氷機の製氷機構であって、一部を切り欠いて示す側面図である。
【図２】実施例の製氷機において、箱体からパネルを取外した状態で示す概略斜視図である。
【図３】実施例の第１支持部近傍を示す断面図である。
【図４】実施例の第１支持部、ストッパ部および第１シャフトの関係を示す概略斜視図である。
【図５】変更例に係る第１シャフトを示す側面図である。
【図６】別の変更例に係る第１シャフトを示す概略斜視図である。
【図７】従来の製氷機構を示す正面図である。
【図８】従来の製氷機構における水皿の取付構造を示す分解斜視図である。
【符号の説明】
【００２７】
１２ 箱体,２２ 取付枠,２４Ａ 第１支持部(支持部),２４Ｂ 第２支持部(支持部),
２６Ａ 第１軸孔(軸孔),２８ ストッパ部,３０ 通孔,４２ 水皿,
４４Ａ 第１軸支部(軸支部),４４Ｂ 第２軸支部(軸支部),
５０Ａ 第１シャフト(シャフト),５０Ｂ 第２シャフト(シャフト),
５２Ａ 第１軸部(軸部),５４Ａ 第１係止片(係止片),５６ 規制部,
６４ 製氷室(製氷部)
【図１】
2008175494.tif 000003
【図２】
2008175494.tif 000004
【図３】
2008175494.tif 000005
【図４】
2008175494.tif 000006
【図５】
2008175494.tif 000007
【図６】
2008175494.tif 000008
【図７】
2008175494.tif 000009
【図８】
2008175494.tif 000010